(57)【要約】【課題】部品点数を低減し、遮蔽体の接地作業が容易である電気機器および画像形成装置を提供することを目的とする。【解決手段】電気機器１は、電子部品から発生する電気ノイズが外部環境に漏れることを抑制する板金製の遮蔽体３３を有する。遮蔽体３３は、接地のための第１接地部および第２接地部を有する。第１接地部は、遮蔽体３３に一体に形成された第１接地片５３と、第１接地片５３を支持フレーム３０に固定することが可能な固定部材５４とを有し、第１接地片５３が固定部材５４によって支持フレーム３０に固定されることで遮蔽体３３を接地させる。第２接地部は、遮蔽体３３に一体に形成され、弾性変形可能な第２接地片５６，５７を有し、第２接地片５６，５７が弾性変形しつつ支持フレーム３０に接触することで遮蔽体３３を接地させる。【選択図】図５
2012118247.tif 000002
【特許請求の範囲】
【請求項１】
制御される機能を有し、板金製の支持フレームを備えた装置本体と、
前記支持フレームに支持され、前記機能を制御するための電子部品と、
前記電子部品を覆った状態で前記支持フレームに取り付けられ、前記電子部品から発生する電気ノイズが外部環境に漏れることを抑制する板金製の遮蔽体と、
を備え、
前記支持フレームは接地され、
前記遮蔽体は、接地のための第１接地部および第２接地部を有し、
前記第１接地部は、前記遮蔽体に一体に形成された第１接地片と、前記第１接地片を前記支持フレームに固定することが可能な固定部材とを有し、前記第１接地片が前記固定部材によって前記支持フレームに固定されることで前記遮蔽体を接地させ、
前記第２接地部は、前記遮蔽体に一体に形成され、弾性変形可能な第２接地片を有し、前記第２接地片が弾性変形しつつ前記支持フレームに接触することで前記遮蔽体を接地させる電気機器。
【請求項２】
請求項１に記載の電気機器において、
前記支持フレームは、前記遮蔽体が取り付けられる接地面を有し、
前記遮蔽体は、前記支持フレームに取り付けられた状態で前記接地面に対向する縁部を有し、
前記第２接地片は、前記縁部から突出して、前記接地面に接触することが可能な形状を有する電気機器。
【請求項３】
請求項２に記載の電気機器において、
前記第２接地片は、前記縁部に一対の切れ目を入れて形成され、前記縁部と繋がった基端部と、前記基端部から延びて前記縁部から突出し、前記基端部に対して持ち上げ可能な持ち上げ片とを有し、
前記持ち上げ片は、前記接地面と接触したときに持ち上げられた状態となり、その復帰力によって前記遮蔽体の接地を可能にする電気機器。
【請求項４】
請求項１〜３のいずれか一項に記載の電気機器において、
前記固定部材はビスである電気機器。
【請求項５】
シート上にトナー像を形成する画像形成動作が行われる装置本体を有し、前記装置本体が請求項１〜４のいずれか一項に記載の装置本体である画像形成装置。
【発明の詳細な説明】
【技術分野】
【０００１】
本発明は、電気ノイズが外部環境に漏れることを抑制する遮蔽体を有する電気機器、特に画像形成装置に関する。
【背景技術】
【０００２】
複写機等の画像形成装置は、シート上にトナー像を形成する画像形成動作を制御する主制御基板を含む。主制御基板は画像形成動作の制御に伴って電気ノイズを発生させるため、画像形成装置は、その電気ノイズが外部環境に漏れることを抑制するコントローラボックス（遮蔽体）を含む（例えば、特許文献１）。
【０００３】
コントローラボックスは、主制御基板を覆って外部環境から隔離することにより、電気ノイズの外部環境への漏出を抑制している。このようなコントローラボックスは電磁波シールドとして作用する。
【先行技術文献】
【特許文献】
【０００４】
【特許文献１】特開２００７−９５９６７号公報
【発明の概要】
【発明が解決しようとする課題】
【０００５】
しかしながら、特許文献１では、コントローラボックスの装置本体への取り付けは、多数のビスを用いて行われていると共に、電気ノイズ対策としてビスの数を増加させているため、その分、部品点数、ひいては部品コストが増加する。また、コントローラボックスの接地作業が煩雑な作業となる。
【０００６】
そこで、本発明は、上記事情に鑑み、部品点数を低減し、遮蔽体の接地作業が容易である電気機器および画像形成装置を提供することを目的とする。
【課題を解決するための手段】
【０００７】
上記目的を達成するために、本発明に係る電気機器は、制御される機能を有し、板金製の支持フレームを備えた装置本体と、前記支持フレームに支持され、前記機能を制御するための電子部品と、前記電子部品を覆った状態で前記支持フレームに取り付けられ、前記電子部品から発生する電気ノイズが外部環境に漏れることを抑制する板金製の遮蔽体とを含む。前記支持フレームは接地されている。前記遮蔽体は、接地のための第１接地部および第２接地部を有する。前記第１接地部は、前記遮蔽体に一体に形成された第１接地片と、前記第１接地片を前記支持フレームに固定することが可能な固定部材とを有し、前記第１接地片が前記固定部材によって前記支持フレームに固定されることで前記遮蔽体を接地させる。前記第２接地部は、前記遮蔽体に一体に形成され、弾性変形可能な第２接地片を有し、前記第２接地片が弾性変形しつつ前記支持フレームに接触することで前記遮蔽体を接地させる。
【０００８】
本発明による電気機器によれば、第１接地部の第１接地片は、固定部材によって支持フレームに固定されることで遮蔽体を接地させているのに対し、第２接地部の第２接地片は、弾性を利用して支持フレームに接触することで遮蔽体を接地させている。したがって、第１接地片だけでなく、第２接地片も固定部材によって支持フレームに固定する構成と比較して、固定部材の数、ひいては部品コストを低減することができる。また、第２接地片は弾性を利用するので、遮蔽体の接地作業が容易である。
【０００９】
本発明の好ましい実施形態では、前記支持フレームは、前記遮蔽体が取り付けられる接地面を有し、前記遮蔽体は、前記支持フレームに取り付けられた状態で前記接地面に対向する縁部を有し、前記第２接地片は、前記縁部から突出して、前記接地面に接触することが可能な形状を有する。
【００１０】
この構成によれば、第２接地片を遮蔽体の縁部から突出させるという簡単な形状により、遮蔽体を接地させることができる。
【００１１】
本発明の他の好ましい実施形態では、前記第２接地片は、前記縁部に一対の切れ目を入れて形成され、前記縁部と繋がった基端部と、前記基端部から延びて前記縁部から突出し、前記基端部に対して持ち上げ可能な持ち上げ片とを有し、前記持ち上げ片は、前記接地面と接触したときに持ち上げられた状態となり、その復帰力によって前記遮蔽体の接地を可能にする。
【００１２】
この構成によれば、第２接地片を、縁部と繋がった基端部と、基端部に対して持ち上げ可能な持ち上げ片とから構成するという簡単な構造で、遮蔽体を確実に接地させることができる。
【００１３】
本発明のさらに他の好ましい実施形態では、前記固定部材はビスである。
【００１４】
ビス止め作業は煩雑なものであるが、本発明では、弾性を備えた第２接地片を用いているので、ビス止め作業の負担を軽減することができる。
【００１５】
本発明に係る画像形成装置は、シート上にトナー像を形成する画像形成動作が行われる装置本体を有し、前記装置本体が上記構成の装置本体である。
【発明の効果】
【００１６】
本発明に係る電気機器および画像形成装置では、接地片は、弾性を利用して支持フレームに接触することで遮蔽体を接地させている。したがって、固定部材の数、ひいては部品コストを低減することができる。また、接地片は弾性を利用するので、遮蔽体の接地作業が容易である。
【図面の簡単な説明】
【００１７】
【図１】本発明の一実施形態に係る画像形成装置を斜め前方から見た外観斜視図である。
【図２】画像形成装置を斜め後方から見た外観斜視図である。
【図３】背面カバーおよび増設用カバーを外した状態の画像形成装置の背面斜視図である。
【図４】コントローラボックスの拡大斜視図である。
【図５】コントローラボックスを下方から見た斜視図である。
【図６】第１弾性接触片を、コントローラボックスの縁部側から見た斜視図である。
【発明を実施するための形態】
【００１８】
以下、図面に基づいて、本発明の実施形態につき詳細に説明する。図１は、本発明の一実施形態に係る画像形成装置１を斜め前方から見た外観斜視図であり、図２は、画像形成装置１を斜め後方から見た外観斜視図である。画像形成装置１は、本発明に係る電気機器の一例であり、胴内排紙型の複合機を例示している。なお、「上」、「下」、「左」、「右」、「前」や「後」などの方向を表す用語は、単に、説明の明瞭化を目的とするものであり、何ら本発明を限定するものではない。
【００１９】
画像形成装置１は、略直方体形状の筐体構造を有する装置本体２を含む。装置本体２は、シート上にトナー像を形成する画像形成動作を行う。装置本体２は、略直方体形状の下部筐体２１と、下部筐体２１の上方に配設される略直方体形状の上部筐体２２と、下部筐体２１と上部筐体２２とを連結する連結筐体２３とを含む。下部筐体２１には画像形成のための各種機器が収容され、上部筐体２２には原稿画像を光学的に読み取るための各種機器が収容されている。下部筐体２１、上部筐体２２及び連結筐体２３で囲まれる胴内空間が、画像形成後のシートを収容可能な胴内排紙部２４とされている。
【００２０】
胴内排紙部２４として利用される前記胴内空間は、装置本体２の前面及び左側面において外部に開放されている。ユーザは、これらの開放部分から手を差し入れ、胴内排紙部２４から画像形成後のシートを取り出すことが可能である。前記胴内空間の底面２４１は、下部筐体２１の上面で区画される。
【００２１】
上部筐体２２の前面には、操作パネルユニット２５が突出して設けられている。操作パネルユニット２５は、テンキー、スタートキーなどを含む操作キー２５１及びＬＣＤタッチパネル２５２などを備え、ユーザからの各種の操作指示の入力を受け付ける。ユーザは、操作パネルユニット２５を通じて、印刷されるシートの枚数等を入力したり、印刷濃度等を入力したりすることができる。上部筐体２２の上には、画像が読み取られる原稿を押さえる押さえカバー２２６（図１では省いている）が配設されている。押さえカバー２２６は、その後端縁において上部筐体２２に対して回動可能に取り付けられている。
【００２２】
下部筐体２１には、画像形成処理が施されるシートを収容する給紙カセット２１１が装着されている。給紙カセット２１１は、下部筐体２１（装置本体２）の前面から手前方向に引出可能である。この給紙カセット２１１は、自動給紙用に設けられたカセットである。
【００２３】
装置本体２の内部には、画像形成部、定着部、シート搬送路などが配設されている。画像形成部は、給紙カセット２１１から供給されるシート上にトナー像を形成する画像形成処理を行う。画像形成部は、静電潜像を担持する感光ドラム、感光ドラムの表面を帯電させる帯電ユニット、原稿画像に対応する静電潜像を感光ドラムの表面にレーザビーム等によって形成する露光ユニット、形成された静電潜像に現像剤を付着させてトナー像を形成する現像ユニット、トナー像をシートに転写する転写ローラ、トナー像転写後に感光ドラム表面を除電する除電ユニット、感光ドラム表面の残留トナーを除去するクリーニングブレード等を備えている。また、定着部は、シート上に転写されたトナー像を該シート上に定着させる定着処理を行う。シート搬送路は、給紙カセット２１１からのシートを、画像形成部、定着部、胴内排紙部２４の順に搬送する。シート搬送路には、シートを搬送するための複数のローラ対が配設されている。
【００２４】
上記構成の装置本体２は、画像形成装置１の外観を構成する複数の外装カバーを有する。そのような外装カバーとして、画像形成装置１の左側面の外観を構成する左側面カバー２６、画像形成装置１の背面の外観を構成する背面カバー２７、増設用カバー２８等が挙げられる。
【００２５】
左側面カバー２６は、下部筐体２１の左側面の外観を構成する下側カバー２６２と、上部筐体２２の左側面の外観を構成する上側カバー２６１とを含む。
【００２６】
増設用カバー２８は、左側面カバー２６における背面カバー２７寄りの部分から背面カバー２７における左側面カバー２６寄りの部分にわたる範囲において画像形成装置１の外観を構成している。
【００２７】
図３は、背面カバー２７および増設用カバー２８を外した状態の画像形成装置１の背面斜視図である。同図に示すように、背面カバー２７および増設用カバー２８を外すと、装置本体２の骨組みの一部を構成する背面フレーム３０が現れる。背面フレーム３０は、板金製の平板状フレームであり、接地されている。背面フレーム３０の表面３０ａ（以下、接地面という）には、前記画像形成部、前記定着部、前記シート搬送路のローラ対等を駆動するモータ３１や、装置本体２内で発生した熱を外部に排出するためのファン３２や、コントローラボックス３３等が配設されている。背面フレーム３０は、本発明の支持フレームの一例である。
【００２８】
図４は、コントローラボックス３３の拡大斜視図である。背面フレーム３０の接地面３０ａにおける左上部分には、主制御基板４５（破線）が支持されている。主制御基板４５は、シート上にトナー像を形成する画像形成動作を制御するための多数の電子部品が搭載された基板である。コントローラボックス３３は、主制御基板４５を覆うことが可能な縦長のかつ扁平な箱形形状を有しており、主制御基板４５を覆った状態で接地面３０ａ上に取り付けられている。主制御基板４５は、画像形成動作の制御の際等に、搭載されている電子部品の動作に伴って電気ノイズを発生させる。コントローラボックス３３は、板金製であり、主制御基板４５を覆うことで、電気ノイズが外部環境に漏れることを抑制する電磁波シールドとして作用する。コントローラボックス３３は、本発明の遮蔽体の一例である。
【００２９】
コントローラボックス３３は、背面フレーム３０の接地面３０ａに対して略平行に延びる縦長の平板部３５と、平板部３５の４つの縁部から背面フレーム３０の接地面３０ａに向かって延びる側板部とを有する。平板部３５には、増設メモリ用カバー４２が開閉可能に設けられている。増設メモリ用カバー４２を取り外して図略のコネクタに増設メモリを接続することで、画像形成装置１にオプション機能を追加することができる。
【００３０】
側板部は、平板部３５の上縁部から延びる上側板３６と、下縁部から延びる下側板３７と、左縁部から延びる左側板３８と、右縁から延びる右側板３９とを含む。
【００３１】
左側板３８は、コントローラボックス３３が接地面３０ａに取り付けられた状態で接地面３０ａに対向する縁部（先端部）３８ａを有している。縁部３８ａには、該縁部３８ａに沿って延びる延設片３８ｂが一体に形成されている。延設片３８ｂには、所定の間隔で複数のビス孔が穿設されており、これらのビス孔にビス５４をねじ込むことで、コントローラボックス３３の左側板３８側が接地面３０ａに対して固定される。
【００３２】
また、右側板３９も同様に、コントローラボックス３３が接地面３０ａに取り付けられた状態で接地面３０ａに対向する縁部（先端部）３９ａを有している。縁部３９ａには、該縁部３９ａに沿って所定の間隔で複数の延設片３９ｂが一体に形成されている。各延設片３９ｂには、ビス孔が穿設されており、これらのビス孔にビス５４をねじ込むことで、コントローラボックス３３の右側板３９側が接地面３０ａに対して固定される。なお、図示は省略するが、上側板３６も同様な構成で接地面３０ａに固定されている。したがって、コントローラボックス３３は、左側板３８側、右側板３９側および上側板３６側において接地されている。
【００３３】
次に、図５を参照しながら、コントローラボックス３３の下側板３７の接地面３０ａに対する固定について説明する。図５は、コントローラボックス３３を下方から見た斜視図である。下側板３７における左右方向略中間部には、複数の貫通孔４３が形成されている。主制御基板４５が画像形成動作の制御に伴って発生させる熱は、これらの貫通孔４３を介して外部に放出される。また、下側板３７は、コントローラボックス３３が接地面３０ａに取り付けられた状態で接地面３０ａに対向する縁部５１（先端部）を有する。
【００３４】
下側板３７の縁部５１には、第１弾性接触片５６および第２弾性接触片５７が一体に形成されている。第１弾性接触片５６は、縁部５１における一方の端（図５では、左端）の近傍に位置し、第２弾性接触片５７は、縁部５１における他方の端（図５では、右端）の近傍に位置している。
【００３５】
第１弾性接触片５６および第２弾性接触片５７の構成について図６を参照しながら説明する。図６は、第１弾性接触片５６を、コントローラボックス３３の縁部５１側から見た斜視図である。第１弾性接触片５６および第２弾性接触片５７は互いに同一の形状を有しているので、第１弾性接触片５６についてのみ説明する。第１弾性接触片５６は、基端部６１と、持ち上げ片６２とを有する。
【００３６】
基端部６１は、該縁部５１から所定の距離だけ延びる一対の切れ目６６を入れて形成され、下側板３７と一体に繋がっている。基端部６１は、下側板３７の表面と略面一の状態となっている。
【００３７】
持ち上げ片６２は、基端部６１から一体に延びて、下側板３７の縁部５１よりも突出する形状を有している。持ち上げ片６２は、基端部６１に対して下側板３７の表面から離間する方向に持ち上げ可能な弾性を有している。
【００３８】
持ち上げ片６２は、斜め片６３と、当接片６４とから構成されている。斜め片６３は、下側板３７の表面から離間する方向において基端部６１から所定の距離だけ斜めに延びる部分である。当接片６４は、斜め片６３から一体に延び、背面フレーム３０の接地面３０ａに対して平行な位置関係となるように設定されている。当接片６４における接地面３０ａに対向する面には、エンボス加工によって突起６５が形成されている。
【００３９】
コントローラボックス３３が接地面３０ａに取り付けられるとき、第１弾性接触片５６の持ち上げ片６２は、当接片６４を介して接地面３０ａに接触するため、弾性変形して、下側板３７の表面から離間する方向に基端部６１から持ち上げられた状態となる。持ち上げ片６２は、弾性を備えているため、その復帰力によって接地面３０ａに強く接触する。持ち上げ片６２の接地面３０ａに対する接触度合いは、例えば突起６５の高さを適宜設定することで変更できる。このように、第１弾性接触片５６の持ち上げ片６２の弾性を利用することで、コントローラボックス３３を、下側板３７における左端において確実に接地させることができる。第２弾性接触片５７も、第１弾性接触片５６と同一の構成を有しているので、コントローラボックス３３を、下側板３７における右端において確実に接地させることができる。第１弾性接触片５６および第２弾性接触片５７は、本発明の第２接地片の一例であり、第２接地部を構成している。なお、第１弾性接触片５６および第２弾性接触片５７を、上記構成を有するものとして説明したが、第１弾性接触片５６および第２弾性接触片５７の構成は、板ばねの特性を発揮する構成であれば特に限定されない。
【００４０】
また、図５に示すように、下側板３７の縁部５１には、第１弾性接触片５６および第２弾性接触片５７に加え、延設片５２が一体に形成されている。延設片５２は、第１弾性接触片５６および第２弾性接触片５７間で縁部５１に沿って、かつ背面フレーム３０の接地面３０ａに対して略平行に延びている。延設片５２は、下側板３７の左右方向略中間部に対応する位置において、図５では下方にさらに突出すると共に、接地面３０ａに対して平行に延びる固定片５３を一体に有する。
【００４１】
固定片５３には、ビス孔が穿設されており、このビス孔にビス５４をねじ込むことにより、固定片５３が接地面３０ａに固定される。これにより、コントローラボックス３３は、下側板３７の左右方向略中間部に対応する位置において、接地面３０ａに取り付けられると共に、接地される。固定片５３は、本発明の第１接地片の一例であり、ビス５４は、本発明の固定部材の一例である。本実施形態では、固定片５３とビス５４とで第１接地部が構成される。なお、延設片５２は、接地面３０ａに密着しているように図示されているが、実際には密着していない。コントローラボックス３３の下側板３７の接地面３０ａに対する密着は、固定片５３と、第１弾性接触片５６および第２弾性接触片５７とを介して行われている。
【００４２】
第１接地部を構成するビス５４と、第２接地部を構成する第１弾性接触片５６との間の第１距離Ｄ１は、７５ｍｍに設定されている。また、ビス５４と、第２弾性接触片５７との間の第２距離Ｄ２は、６６ｍｍに設定されている。主制御基板４５は、画像形成動作の制御等の際、搭載されている電子部品の動作に伴って最大で約１ＧＨｚの周波数の電磁波を発生させるが、第１距離Ｄ１および第２距離Ｄ２を、１ＧＨｚの周波数の波長の１／４に相当する７５ｍｍまたはそれよりも小さい値に設定することで、電磁波（電気ノイズ）がコントローラボックス３３から外部環境に漏れることを抑制できる。つまり、第１距離Ｄ１および第２距離Ｄ２を７５ｍｍ以下に設定することで、第１弾性接触片５６および第２弾性接触片５７や、固定片５３が、電磁波を外部環境に漏出させてしまうアンテナとなることを抑制できる。つまり、主制御基板４５の動作に伴って発生が想定される電気ノイズの最大周波数の波長をλ０とするとき、接地間距離Ｄｎ≦１／４λ０とすることで、コントローラボックス３３が電気ノイズと電気的に共振して、アンテナとして機能することを抑止できる。
【００４３】
以上説明した本実施形態に係る画像形成装置１によれば、第１接地部の固定片５３は、ビス５４によって背面フレーム３０の接地面３０ａに固定されることで、コントローラボックス３３を接地させているのに対し、第２接地部の第１弾性接触片５６および第２弾性接触片５７は、弾性を利用して接地面３０ａに接触することで、コントローラボックス３３を接地させている。したがって、第１接地片（固定片５３）だけでなく、第２接地片もビス５４によって接地面３０ａに固定する構成と比較して、ビス５４の数、ひいては部品コストを低減することができる。また、第２接地片である第１弾性接触片５６および第２弾性接触片５７は弾性を利用するので、コントローラボックス３３の接地作業が容易であり、煩雑なビス止め作業の負担を軽減することができる。
【００４４】
また、本実施形態では、第２接地片をコントローラボックス３３の下側板３７の縁部５１から突出させるという簡単な形状により、つまり、第１弾性接触片５６および第２弾性接触片５７のそれぞれを、下側板３７の縁部５１に一体に形成された基端部６１と、縁部５１から突出し、基端部６１に対して持ち上げ可能な持ち上げ片６２から構成するという簡単な構造により、コントローラボックス３３を確実に接地させている。
【００４５】
以上説明した本実施形態に係る画像形成装置１では、第２接地部を構成する第１弾性接触片５６および第２弾性接触片５７を、コントローラボックス３３の下側板３７側に設けた構成につき説明したが、第２接地部は、下側板３７に限定されず、例えば左側板３８の縁部３８ａに設けてもよい。これにより、ビス５４の数をさらに低減することができる。
【符号の説明】
【００４６】
１  画像形成装置
２  装置本体
２７  背面カバー
２８  増設用カバー
３０  背面フレーム（支持フレーム）
３０ａ  接地面
３３  コントローラボックス（遮蔽体）
３７  下側板
４５  主制御基板（電子部品）
５１  縁部
５２  延設片
５３  固定片
５４  ビス（固定部材）
５６  第１弾性接触片（第１接地片）
５７  第２弾性接触片（第２接地片）
６１  基端部
６２  持ち上げ片
６６  切れ目
【図１】
2012118247.tif 000003
【図２】
2012118247.tif 000004
【図３】
2012118247.tif 000005
【図４】
2012118247.tif 000006
【図５】
2012118247.tif 000007
【図６】
2012118247.tif 000008